(57)【要約】      （修正有）【課題】折り畳み式傘骨、特に、強い風に抵抗でき、傘骨が折損せず、そして、傘骨の組み立てが簡単であり、更に、交換モジュール化した押しスリーブの提供。【解決手段】高曲げ剛度を有するプラスチック材からなる傘骨１とメイン中棒２０等の主要部品からなり、当該傘骨の前段の突出軸１１１と支持ピボットレバーの突出軸とは、それぞれ、上傘の骨のブロックと下傘の骨のブロックの貫通しない切槽３１に、互いに係合して位置付けられ、また、下ロクロ４の底部の周縁の表面に、スリーブ８や表面に押しボタン８１が設けられるスリーブ８が係合されるための凹槽４２が形成された構成としたので、従来の金属線結び構造と異なって、組立てがより容易になる。【選択図】図３
0003117162.tif 000002
【実用新案登録請求の範囲】
【請求項１】
高曲げ剛度を有するプラスチック材からなり、それぞれ前傘の骨と支持ピボットレバーと支持ドローバーと撓み性レバーと中傘の骨及び後傘の骨が互いに軸設されることにより構成された傘骨が、上、下ロクロ等の主部品と連結構成され、メイン中棒に貫設される傘の改良であって、
前記上、下ロクロの表面に貫通しない切槽が環設され、切槽及び傘骨の前傘の骨と支持ピボットレバーの各一端には、それぞれ、前記上、下ロクロと軸着される高曲げ剛度を有するプラスチック材からなる突出軸が設けられていることを特徴とする傘骨の改良構造。
【請求項２】
前記上ロクロは、中空状である上引き受け蓋により頂面に貫設され、押さえシートでメイン中棒上に螺着されることを特徴とする請求項１に記載の傘骨の改良構造。
【請求項３】
前記下ロクロは、中空状である下引き受け蓋により底面に貫設されることを特徴とする請求項１に記載の傘骨の改良構造。
【請求項４】
前記下ロクロに、スリーブや表面に押しボタンが設けられるスリーブが係合されていることを特徴とする請求項１に記載の傘骨の改良構造。
【考案の詳細な説明】
【技術分野】
【０００１】
本考案は、折畳式傘の傘骨の改良に関し、特に、強い風に抵抗でき、傘骨が折損せず、そして、傘骨の組立てが簡単であり、更に、交換モジュール化設計の押しスリーブの新規構造設計に関する。
【背景技術】
【０００２】
従来の傘骨の構成は、その傘骨全体が金属材から形成されており、傘骨同士の軸端部を、さびにくい材質である銅製の釘によって互いに結合するようになっている。また、傘骨とメイン中棒に配設される上，下ロクロと互いに連結した後、金属リングワイヤで各傘骨を貫通し、結んで固定しなければならない。
この種の傘において、金属材からなる傘骨や、傘骨同士の間に互いに軸設するための軸設端に使用される銅製の釘は、製造工程が複雑で時間が掛かり、また、その表面に、容易に錆びる現象が起こるため、傘骨自身の強度が低下し、強い風に当たると、曲げ剛度の不足が原因で傘骨が湾曲してしまい、傘が使えなくなる。
また、当該上、下ロクロと傘骨の連結は、金属リングワイヤの固定方式により組立てられるため、生産に時間が掛かることで、コストが高くなるという問題点がある。
【考案の開示】
【考案が解決しようとする課題】
【０００３】
本考案の主な目的は、傘骨と上、下ロクロの結合方式が、突出軸で係合軸設する方式の傘骨の改良構造を提供する。
【０００４】
本考案の他の目的は、傘骨と傘骨間の結合が、プラスチック材からなる突出軸で互いに軸設することである、傘骨の改良構造を提供する。
【０００５】
本考案は、上記の欠点を解消するため、傘骨と上、下ロクロとについて、組立てがより簡単で固定がより確実的であり、そして、当該傘骨が無毒で且つリサイクルできるプラスチック材で製作され、防風強度のよい、断裂し難い、表面にメッキを必要とせず、錆びる問題がないリサイクルできる環境保護を可能にした傘骨の改良構造を提供する。
【課題を解決するための手段】
【０００６】
本考案の傘骨の改良構造における請求項１の考案は、高曲げ剛度を有するプラスチック材からなり、それぞれ前傘の骨と支持ピボットレバーと支持ドローバーと撓み性レバーと中傘の骨及び後傘の骨が互いに軸設されることにより構成された傘骨が、上、下ロクロ等の主部品から構成されるメイン中棒に貫設される傘の改良であって、前記上、下ロクロの表面に貫通しない切槽が環設され、切槽及び傘骨の前傘の骨と支持ピボットレバーの各一端には、それぞれ、前記上、下ロクロと軸着される高曲げ剛度を有するプラスチック材からなる突出軸が設けられていることを特徴とする。
【０００７】
請求項２の考案は、請求項１に記載の傘骨の改良構造において、前記上ロクロは、中空状である上引き受け蓋により頂面に貫設され、押さえシートでメイン中棒上に螺着されることを特徴とする。
請求項３の考案は、請求項１に記載の傘骨の改良構造において、前記下ロクロは、中空状である下引き受け蓋により底面に貫設されることを特徴とする。
請求項４の考案は、請求項１に記載の傘骨の改良構造において、前記下ロクロに、スリーブや表面に押しボタンが設けられるスリーブが係合されていることを特徴とする。
【考案を実施するための最良の形態】
【０００８】
以下、図面を参照しながら、より良い実施例を上げて、本考案の目的や機能、主な特徴及び素子同士の連結関係を説明する。
【実施例】
【０００９】
図１は、本考案の傘骨を示す正面図であり、曲げ強度の強い剛度を有するプラスチック材からなる傘骨１と、メイン中棒２を貫通する上，下ロクロ３，４等の主部品から構成される。
【００１０】
図２を参照しながら説明すると、前記傘骨1は、それぞれ、前傘の骨１１、支持ピボットレバー１２、支持ドローバー１３、撓み性レバー１４、中傘の骨１５及び後傘の骨１６が互いに軸設されることにより連結構成され、互いに軸設する軸設端は、それぞれ、互いに軸設して位置付けるための突出軸１１１，１２１，１３１，１４１，１５１，１６１が設けられている。
【００１１】
図３，図４を参照しながら説明すると、前記メイン中棒２の上端に、表面に貫通しない切槽３１を環設する上ロクロ３が固定され、前記切槽３１と、前傘の骨１１に設けられる一端の突出軸１１１とにより、両者が係合される。
【００１２】
また、中空状である上引き受け蓋５は、上ロクロ３の頂面を貫通して固定され、最後に、押さえシート６でメイン中棒２上に螺着されて、前記上ロクロ２と前傘の骨１１との組立てが完成される。
また、下ロクロ４は、メイン中棒２に設けられる上ロクロ３に貫設され、下方がメイン中棒２の上において、上下に摺動でき、その表面に、支持ピボットレバー１２の一端に設けられる突出軸１２１と係合するための貫通しない切槽４１が環設される。
また、中空状である下引き受け蓋７が下ロクロ４の底面に貫設されることによって行われる。これにより、下ロクロ４と支持ピボットレバー１２の組立てとが完成される。
【００１３】
そして、図５を参照しながら説明すると、前記下ロクロ４の底部の周縁の表面には、傘を展開する時の傘骨を位置付けるための凹槽４２が形成され、また、底部の周縁の表面に、スリーブ８（図６のように）や表面に押しボタン８１が設けられるスリーブ８（図７のように）が係合される。
【図面の簡単な説明】
【００１４】
【図１】本考案に係わる傘骨の改良構造の一実施例を示す展開外観図
【図２】本考案に係わる傘骨の改良構造の立体分解図
【図３】本考案に係わる傘骨の改良構造におけるメイン中棒と傘骨の立体分解図
【図４】本考案に係わる傘骨の改良構造におけるメイン中棒と傘骨の組合の外観立体図
【図５】本考案に係わる傘骨の改良構造におけるメイン中棒と上、下ロクロの組立ての断面図
【図６】本考案に係わる傘骨の改良構造における下ロクロとスリーブの立体分解図
【図７】本考案に係わる傘骨の改良構造における下ロクロとスリーブの他の実施例の立体分解図
【符号の説明】
【００１５】
１            傘骨
２            メインレバー
３            上ロクロ
４            下ロクロ
５            上引き受け蓋
６            押さえシート
７            下引き受け蓋
８            スリーブ
１１          前傘の骨
１２          支持ピボットレバー
１３          支持ドローバー
１４          撓み性レバー
１５          中傘の骨
１６          後傘の骨
２０          メイン中棒
３１          切槽
４１          切槽
４２          凹槽
８１          押しボタン
１１１        突出軸
１２１        突出軸
１３１        突出軸
１４１        突出軸
１５１        突出軸
１６１        突出軸
【図１】
0003117162.tif 000003
【図２】
0003117162.tif 000004
【図３】
0003117162.tif 000005
【図４】
0003117162.tif 000006
【図５】
0003117162.tif 000007
【図６】
0003117162.tif 000008
【図７】
0003117162.tif 000009